(57)【要約】【課題】  建築構造体内にバスユニットを設置するにあたって、コストを低減させると共に作業を簡素化することができ、更に排水位置等のスペース利用の自由度も大幅に向上させることのできるバスユニットの設置構造を提供する。【解決手段】  バスユニット２の下面外周部には、縦リブ状の位置決め片を設け、土間部１の開口周縁であってバスユニット２の位置決め片と対応する箇所には、スリット１１と載置面１０とを有する架台部材６を固定して備える。架台部材６のスリット１１内にバスユニット２の位置決め片を挿通して位置決めするとともに、架台部材６の載置面１０上にバスユニット２を載置する。【選択図】        図１
2009052343.tif 000002
【特許請求の範囲】
【請求項１】
建築構造体に設けてある土間部の開口内に、浴槽及び床パンから成るバスユニットを設置するバスユニットの設置構造であって、バスユニットの下面外周部には、縦リブ状の位置決め片を設け、土間部の開口周縁であってバスユニットの位置決め片と対応する箇所には、スリットと載置面とを有する架台部材を固定して備え、架台部材のスリット内にバスユニットの位置決め片を挿通して位置決めするとともに、架台部材の載置面上にバスユニットを載置することを特徴とするバスユニットの設置構造。
【発明の詳細な説明】
【技術分野】
【０００１】
本発明は、建築構造体にバスユニットを設置するための構造に関する。
【背景技術】
【０００２】
住宅等の建築構造体内に、浴槽及び床パンから成るユニット（以下、これを「バスユニット」という）を設置するに際して、特に階上においては、建築構造体に設けてある土間部の開口内に架台を架設することが一般的である（例えば、特許文献１参照）。
【０００３】
図５、図６には、従来の設置構造を概略的に示している。図示のように、梁状の鋼材を用いることで建築構造体の土間部１の開口内に架台４０を架設し、この架台４０上に、複数本の脚ボルト４１を介してバスユニット２を設置している。
【０００４】
ところで、上記従来の設置構造では、建築構造体内に鋼材を組み込んで架台４０を架設したうえで脚ボルト４１を連結させる必要があり、その分だけコストが高くつくと共に、作業も複雑になるという問題がある。
【０００５】
更に、土間部１の開口内には、架台４０を成す梁状の鋼材が多数存在することになるため、建築構造体側での排水位置Ｐ等のスペース利用に制限が課せられるという問題がある。
【特許文献１】特開平８−１７７０９７号公報
【発明の開示】
【発明が解決しようとする課題】
【０００６】
本発明は上記問題点に鑑みて発明したものであって、建築構造体内にバスユニットを設置するにあたって、コストを低減させると共に作業を簡素化することができ、更に排水位置等のスペース利用の自由度も大幅に向上させることのできるバスユニットの設置構造を提供することを課題とするものである。
【課題を解決するための手段】
【０００７】
本発明は、建築構造体に設けてある土間部１の開口内に、浴槽３及び床パン４から成るバスユニット２を設置するバスユニット２の設置構造であって、バスユニット２の下面外周部には、縦リブ状の位置決め片１３を設け、土間部１の開口周縁であってバスユニット２の位置決め片１３と対応する箇所には、スリット１１と載置面１０とを有する架台部材６を固定して備え、架台部材６のスリット１１内にバスユニット２の位置決め片１３を挿通して位置決めするとともに、架台部材６の載置面１０上にバスユニット２を載置するものである。
【０００８】
このようにすることで、バスユニット２を設置するにあたっては、土間部１の開口周縁の所定箇所に架台部材６を固定して備えておき、この架台部材６によりバスユニット２の位置決め及び支持をすればよいので、コストを低減するとともに作業も簡素化することができる。加えて、架台部材６を固定した状態においても土間部１内には自由なスペースが十分に確保されるので、建築構造体側において排水位置等に制限が課されることがなく、自由度の高い設計が可能となる。
【発明の効果】
【０００９】
本発明にあっては、土間部の開口周縁に架台部材を固定して備え、架台部材のスリット内にバスユニットの位置決め片を挿通して位置決めし、架台部材の載置面上にバスユニットを載置する構成としたので、建築構造体内にバスユニットを設置するにあたっては、架台部材によりバスユニットの位置決め及び支持をすればよく、コストを低減させると共に作業を簡素化することができる。また、土間部内には自由なスペースが十分に確保されるので、排水位置等のスペース利用の自由度も大幅に向上させることができる。
【発明を実施するための最良の形態】
【００１０】
以下、本発明を添付図面に示す実施形態に基づいて説明する。図１、図２には、本発明の実施形態における一例のバスユニット２の設置構造を、概略的に示している。
【００１１】
ここでのバスユニット２は、図１中左側の浴槽３と、図１中右側の洗い場を成す床パン４とを、一体成形若しくは一体に組み付けることでユニット化したものである。建築構造体の土間部１内に上記バスユニット２を設置するに際しては、土間部１の開口周縁部を成す平面視矩形状の枠体５に対して、図４に示すような簡易な架台部材６を複数対だけ固着する。
【００１２】
架台部材６は、三段の階段状に形成される金具であって、最下段部を載置部７とし、最上段部を固着部８とし、その間に位置する中間段部を位置決め部９としている。載置部７は平板状に形成されており、その上面が平坦な載置面１０となっている。
【００１３】
固着部８は側面視逆Ｌ字状に形成されており、その上面には、固着具（図示せず）を挿通させるための複数の固着孔１２を上下に貫通させている。また、位置決め部９についても同様に側面視逆Ｌ字状に形成しており、その上面から前面にかけて、両面間の角部を跨ぐように複数（本例では一対）のスリット１１を貫設している。
【００１４】
架台部材６は、枠体５において浴槽３が設置される箇所に一対固着され、床パン４が設置される箇所に二対固着されている。各対の架台部材６の固着箇所は、土間部１の開口部を挟んで対向する箇所となっている。
【００１５】
図２に示すように、側面視逆Ｌ字状を成す固着部８の水平部分下面を枠体５の上面に当て、鉛直部分背面を枠体５の内側面に当てた状態で、固着孔１２を通じて枠体５に固着具を打ち入れて固定する。このとき、枠体５の内側であって固着部８の一段下となる部分に位置決め部９が位置し、枠体５の更に内側であって位置決め部９の一段下となる部分に載置部７が位置することになる。
【００１６】
バスユニット２の下面外周部には、土間部１内に設置したときに各架台部材６と近接する箇所に、位置決め片１３と支持脚部１４とを設けている。位置決め片１３は、各架台部材６と近接する箇所において側方に複数（本例では一対）突設した縦リブ状のものであり、架台部材６のスリット１１内に嵌入する配置となっている（図３参照）。また、支持脚部１４は、各架台部材６と近接する箇所において下方に突設されている。
【００１７】
したがって、枠体５の所定箇所に各架台部材６を固着したうえで土間部１内にバスユニット２を組み込むと、バスユニット２に備えてある位置決め片１３が対応する各架台部材６のスリット１１内に挿入されて水平方向の位置決めを行うとともに、バスユニット２に備えてある支持脚部１４が対応する各架台部材６の載置面１０上に載置され、バスユニット２を下方から支持することになる。
【００１８】
なお、図２、図３には、バスユニット２のうち床パン４側に設けた位置決め片１３や支持脚部１４を示しているが、浴槽３側にも同様の位置決め片１３や支持脚部１４が備えてあることは勿論である。つまり、浴槽３側においても、架台部材６のスリット１１にこの位置決め片１３を挿入し、架台部材６の載置面１０に支持脚部１４を載置する構造である。
【００１９】
ここで、本例の設置構造を図５、図６に示した従来の設置構造と比較すると、本例の設置構造にあっては、バスユニット２を設置するに際して架台部材６を３対用意して枠体５に組み付けておき、この架台部材６によりバスユニット２を位置決め及び支持させるだけでよい。したがって、従来の設置構造と比して大幅にコストを低減させると共に、現場での作業も簡素化することができる。
【００２０】
また、この設置構造によれば、複数の架台部材６を組み付けた状態であっても、土間部１の開口内には利用可能なスペースが十分に確保される。これにより、排水位置Ｐ等のスペース利用に制限が課せられることなく、建築構造体側で配管等の設計を自由に行うことができる。
【図面の簡単な説明】
【００２１】
【図１】本発明の実施形態における一例のバスユニットの設置構造を概略的に示す平面図である。
【図２】同上の設置構造を概略的に示す側断面図である。
【図３】同上の設置構造の要部を示す斜視図である。
【図４】同上の設置構造に用いる架設部材を示す斜視図である。
【図５】従来のバスユニットの設置構造を概略的に示す平面図である。
【図６】同上の設置構造を概略的に示す側断面図である。
【符号の説明】
【００２２】
１  土間部
２  バスユニット
３  浴槽
４  床パン
６  架台部材
１０  載置面
１１  スリット
１３  位置決め片
【図１】
2009052343.tif 000003
【図２】
2009052343.tif 000004
【図３】
2009052343.tif 000005
【図４】
2009052343.tif 000006
【図５】
2009052343.tif 000007
【図６】
2009052343.tif 000008